(57)【要約】【課題】受験者の学習効率を上げる試験問題を作成する問題作成装置を提供する。【解決手段】初回試験判定部１５１は、受験者が初回受験であると判定した場合、乱数により特定した問題番号問題バージョンに対応する問題を出題問題とする。優先問題抽出部１５２は、受験者が不正解であった問題と同一の問題番号であり異なる問題バージョンの問題の中から規定出題数分の問題を優先出題問題とする。未出題問題抽出部１５３は、未出題問題を抽出して出題問題とする。追加問題抽出部１５４は、規定出題数から優先出題問題数と出題問題数とを差し引いた問題数を追加問題とする。【選択図】図１
2008233665.tif 000002
【特許請求の範囲】
【請求項１】
複数の問題の中から所定数の問題を選択して問題群を作成する問題作成装置において、
上記複数の問題を記憶する問題記憶手段と、
上記複数の問題に対する受験者毎の正解又は不正解の情報を記憶する受験者情報記憶手段と、
上記正解又は不正解の情報に基づいて上記複数の問題の中から不正解の情報が対応付けられた問題を出題問題として選択して試験問題を作成する試験問題作成手段と
を備えることを特徴とする問題作成装置。
【請求項２】
上記試験問題に対する答案を入力する答案入力手段と、
上記答案を採点する採点手段とをさらに備え、
上記受験者情報記憶手段は、上記採点手段による採点結果に基づいて上記正解又は不正解の情報を更新する
ことを特徴とする請求項１記載の問題作成装置。
【請求項３】
上記試験問題作成手段は、上記不正解の情報が対応付けられた問題の数が上記所定数よりも少ない場合、未出題の問題から上記出題問題を選択することを特徴とする請求項１記載の問題作成装置。
【請求項４】
上記複数の問題は、問題毎に複数のバージョンを有しており、
上記試験問題作成手段は、上記不正解の情報が対応付けられた問題が有するバージョンとは異なるバージョンを選択することを特徴とする請求項１記載の問題作成装置。
【請求項５】
複数の問題の中から所定数の問題を選択して問題群を作成する問題作成方法において、
上記複数の問題を記憶し、
上記複数の問題に対する受験者毎の正解又は不正解の情報を記憶し、
上記正解又は不正解の情報に基づいて上記複数の問題の中から不正解の情報が対応付けられた問題を出題問題として選択して試験問題を作成する
ことを特徴とする問題作成方法。
【請求項６】
複数の問題の中から所定数の問題を選択して問題群を作成する問題作成処理をコンピュータに実行させるプログラムであって、
上記複数の問題を記憶し、
上記複数の問題に対する受験者毎の正解又は不正解の情報を記憶し、
上記正解又は不正解の情報に基づいて上記複数の問題の中から不正解の情報が対応付けられた問題を出題問題として選択して試験問題を作成する
ことを特徴とするプログラム。
【請求項７】
複数の問題の中から所定数の問題を選択して問題群を作成する問題作成処理をコンピュータに実行させるプログラムが記録された記録媒体であって、
上記複数の問題を記憶し、
上記複数の問題に対する受験者毎の正解又は不正解の情報を記憶し、
上記正解又は不正解の情報に基づいて上記複数の問題の中から不正解の情報が対応付けられた問題を出題問題として選択して試験問題を作成する
ことを特徴とするプログラムが記録された記録媒体。
【発明の詳細な説明】
【技術分野】
【０００１】
本発明は、複数の問題の中から所定の問題を選択して問題群を作成する問題作成装置及び問題作成方法、並びに、プログラム及び記録媒体に関する。
【背景技術】
【０００２】
近年、コンピュータの処理機能を利用して受験者に提供する種々の試験問題を作成する問題作成装置が提案されている。通常、このような問題作成装置は、予め準備された所定の試験問題を受験者に提供してこの試験問題に対する回答を入力させ、この回答と正解とが一致しているか否かによって正否を判定する。
【０００３】
例えば、特許文献１には、入力手段より入力された指示に基づいて記憶手段に記憶された問題を表示手段に表示し、印刷手段より所定の問題を印刷する問題作成装置の技術が記載されている。この特許文献１に記載された問題作成装置は、主記憶装置と、ディスプレイと、問題等のデータ入力手段と、プリンタと、記憶装置に入力されたマスタファイル及びデータファイルとからなり、マスタファイルは問題関連ファイルであり、データファイルは学習性正規管理ファイルであり、各問題には、コードとこのコードに対応する複数の弱点要素が付され、個人又は集団の問題用紙とこの問題に対する答案用紙と解答用紙とを自動的にプリントアウトする手段と、この答案用紙の解答欄には問題コードの読み取り手段で個人又は集団の弱点解析をする成績処理手段を備えてなることを特徴とするものである。
【０００４】
【特許文献１】特開平５−１１６７９号公報
【発明の開示】
【発明が解決しようとする課題】
【０００５】
しかしながら、このような従来の技術では、受験者は、再度試験問題を解く際には、正解した問題も回答しなければならならず、なかなか学習効率が上がらなかった。
【０００６】
本発明は、このような従来の実情に鑑みて提案されたものであり、受験者の学習効率を上げるように試験問題を作成する問題作成装置及び問題作成方法、並びに、プログラム及び記録媒体を提供することを目的とする。
【課題を解決するための手段】
【０００７】
上述した目的を達成するために、本発明は、複数の問題の中から所定数の問題を選択して問題群を作成する問題作成装置において、上記複数の問題を記憶する問題記憶手段と、上記複数の問題に対する受験者毎の正解又は不正解の情報を記憶する受験者情報記憶手段と、上記正解又は不正解の情報に基づいて上記複数の問題の中から不正解の情報が対応付けられた問題を出題問題として選択して試験問題を作成する試験問題作成手段とを備えることを特徴とする。
【０００８】
また、上述した目的を達成するために、本発明は、複数の問題の中から所定数の問題を選択して問題群を作成する問題作成方法において、上記複数の問題を記憶し、上記複数の問題に対する受験者毎の正解又は不正解の情報を記憶し、上記正解又は不正解の情報に基づいて上記複数の問題の中から不正解の情報が対応付けられた問題を出題問題として選択して試験問題を作成することを特徴とする。
【０００９】
また、本発明に係るプログラムは、上述した問題作成処理をコンピュータに実行させるものであり、本発明に係る記録媒体は、当該プログラムが記録されたコンピュータが読み取り可能なものである。
【発明の効果】
【００１０】
本発明は、複数の問題を記憶し、複数の問題に対する受験者毎の正解又は不正解の情報を記憶し、正否情報に基づいて複数の問題の中から不正解の情報が対応付けられた問題を出題問題として選択して試験問題を作成することにより、受験者は、試験問題における弱点をより効率的に補強することが可能となる。
【発明を実施するための最良の形態】
【００１１】
以下、本発明を実施するための最良の形態を図面を参照して詳細に説明する。
【００１２】
本実施の形態における問題作成装置は、複数の問題の中から所定の問題を選択して問題群を作成し、この問題群を受験者に提供するものである。
【００１３】
本実施の形態における問題作成装置は、ＣＰＵ（Central Processing Unit），ＲＯＭ（Read Only Memory），ＲＡＭ（Random Access Memory），ＨＤＤ（Hard Disc Drive）等を備えたＰＣ（Personal Computer）により実現される。この問題作成装置におけるデータ処理全般は、ＣＰＵが予めＲＯＭに格納されている制御プログラムを読み出してＲＡＭ上に実行展開することにより制御される。
【００１４】
また、本実施の形態における問題作成装置が実行する問題作成処理は、コンピュータ本体の主記憶部にロードされた処理プログラムにより行われる。本実施の形態における問題作成装置が実行する処理プログラムは、予めＣＤ−ＲＯＭ（Compact Disc Read Only Memory）に格納されており、このＣＤ−ＲＯＭがＣＤ−ＲＯＭドライブユニットに設置されると、ＰＣ上で動作しているＯＳ（Operating System）がＣＤ−ＲＯＭを認識し、この処理プログラムを実行可能な状態にする。試験問題の作成処理は、例えば試験問題の作成者等、本実施の形態における問題作成装置の使用者がこの処理プログラムを起動することにより実行される。
【００１５】
図１は、本実施の形態における問題作成装置１内部の機能的な構成を示すブロック図である。
【００１６】
問題作成装置１は、受験者情報入力部１１と、受験者情報記憶部１２と、問題情報入力部１３と、問題情報記憶部１４と、データ処理部１５と、答案入力部１６と、表示部１７とを備える。受験者情報入力部１１、問題情報入力部１３、及び答案入力部１６には、キーボード、マウス等が接続され、使用者の操作に基づいて設定された情報を、端末装置を介して入力する。受験者情報記憶部１２及び問題情報記憶部１４は、例えば、大量の記憶容量を有し、データの書き換えが可能なハードディスク等が適用される。
【００１７】
受験者情報入力部１１は、受験者の端末操作に基づいて受験者を特定する種々の情報を入力する。本実施の形態において、受験者情報入力部１１は、受験者個人を特定するための受験者ＩＤ、試験問題の問題番号、試験問題の問題バージョン、及び、出題された問題に対する正否（正解／不正解）を受験者情報として入力する。なお、受験者情報入力部１１が入力する受験者情報は、これらに限られない。受験者情報記憶部１２は、受験者情報入力部１１によって入力された受験者情報を記憶し、例えば図２に示すような受験者情報テーブルＸ１を作成して各情報を対応付けて管理する。
【００１８】
図２に示すように、受験者情報テーブルＸ１において、受験者ＩＤ（００００１，００００２，・・・）は、受験者個人を特定するものであり、この受験者ＩＤ毎に、問題番号（１，２，・・・）と、各問題が有する複数の問題バージョン（１，２，・・・）と、各問題に対する受験者の正否（正解、不正解）とがそれぞれ対応付けられている。
【００１９】
また、受験者情報入力部１１は、受験者の端末操作に基づいて、例えば、受験者情報テーブルＸ１に記憶された受験者情報を修正する情報、受験者情報テーブルＸ１に追加される受験者情報等、受験者情報テーブルＸ１を更新するための情報を入力する。
【００２０】
問題情報入力部１３は、試験問題を構成する各問題の情報を試験問題情報として入力する。本実施の形態において、試験問題情報は、試験問題を構成する問題の問題番号、問題バージョン、各問題バージョンに対応する問題の本文、問題の解答とする。なお、問題情報入力部１３が入力する試験問題情報は、これらに限られない。問題情報記憶部１４は、問題情報入力部１３によって入力された試験問題情報を記憶し、例えば図３に示すような問題情報テーブルＸ２を作成して各情報を対応付けて管理する。
【００２１】
ここで、問題番号は、例えば、受験者の理解度を試すために所定の項目毎に付与することが可能である。具体例としては、受験者に習得させたい知識として、買い物で金銭授受を正しく行うことができる能力と、アースについての理解と、哺乳類の定義についての理解と、化学物質の混合における危険性の理解という互いに関連性の低い４つの知識が存在する場合、これらの知識は、例えば図３に示すように、それぞれ異なる固定的な問題番号で管理されることが可能である。各問題番号に対応付けられた複数の問題バージョンは、受験者にそれぞれの知識を習得させるために複数の異なる問題からなる問題群から構成される。
【００２２】
このように、同一の問題に対して複数の問題バージョンを対応付けることにより、例えば、再試験において、過去に間違えた問題と全く同一の問題を出題した場合に、受験者がこの過去に間違えた問題の解答を覚えており、知識を十分に習得しないまま正解してしまうといった問題点を回避することが可能となる。
【００２３】
また、問題情報入力部１３は、例えば教師等、問題情報テーブルＸ２を更新する権限を有する者の端末操作に基づいて、問題情報記憶部１４が有する問題情報テーブルＸ２に記憶された試験問題情報を修正する情報、問題情報テーブルＸ２に追加される試験問題情報等、問題情報テーブルＸ２を更新する更新情報を入力する。
【００２４】
データ処理部１５は、初回試験判定部１５１と、優先問題抽出部１５２と、未出題問題抽出部１５３と、追加問題抽出部１５４と、採点管理部１５５とを備え、受験者に応じた試験問題を提供するための処理を行う。
【００２５】
初回試験判定部１５１は、受験者が表示部１７に表示されるログイン画面における受験者ＩＤ及びパスワードの入力案内に従って端末装置を介して答案入力部１６に受験者ＩＤ及びパスワードを入力することにより、問題作成装置１と受験者とがアクセス可能な状態にされると、答案入力部１６に入力された受験者ＩＤに基づいて、この試験において受験者が初回受験であるか否かを判定する。初回試験判定部１５１は、受験者が受験する試験が初回受験であると判定した場合、出題問題を選定するための乱数を発生させ、問題情報記憶部１４が有する問題情報テーブルＸ２を参照し、予め規定された出題問題数（以下、規定出題数という。）だけこの乱数に基づいて問題番号を選定する。
【００２６】
初回試験判定部１５１は、選定された全ての問題番号に対応する複数の問題バージョンの中から１つの問題バージョンを選定するための乱数を発生させ、この発生させた乱数に基づいて１つの問題バージョンを選定する。そして、初回試験判定部１５１は、選定された問題番号及び問題バージョンに対応する出題問題を抽出して表示部１７に供給する。
【００２７】
優先問題抽出部１５２は、受験者情報テーブルＸ１に記憶された問題番号の中から受験者が不正解であった全ての問題の問題番号と問題バージョンとを参照する。優先問題抽出部１５２は、受験者が不正解であった問題の問題番号と同一の問題番号であり、且つ、この問題の問題バージョンとは異なる問題バージョンの問題が問題情報テーブルＸ２に存在するか否かを検索する。優先問題抽出部１５２は、異なる問題バージョンの問題が存在することを確認した場合には、この異なる問題バージョンの問題の中から１つの問題を選定するための乱数を発生させ、この発生させた乱数に基づいて１つの問題を選定する。優先問題抽出部１５２は、選定された問題を優先問題として問題情報テーブルＸ２より抽出し、表示部１７に供給する。
【００２８】
未出題問題抽出部１５３は、受験者情報テーブルＸ１を参照し、規定出題数から優先問題抽出部１５２によって抽出された問題の問題数を差し引いた数（以下、未抽出問題数という。）と、今までに一度も出題されていない問題（以下、未出題問題という。）の問題数（以下、未出題問題数という。）とを比較する。未出題問題数が未抽出問題数以上である場合には、未出題問題抽出部１５３は、未抽出問題数だけ問題番号を選定するための乱数を発生させ、この発生させた乱数に基づいて未出題問題の中から問題番号を未抽出問題数だけ選定する。未出題問題抽出部１５３は、選定された問題番号に対応する問題バージョンの中から１つの問題バージョンを選定するための乱数を発生させ、この発生させた乱数に基づいて１つの問題バージョンを選定する。そして、未出題問題抽出部１５３は、選定された問題番号及び問題バージョンに対応する未出題問題を抽出して出題問題として表示部１７に供給する。
【００２９】
一方、未出題問題抽出部１５３は、未出題問題数が未抽出問題数よりも少ない場合に、全ての未出題問題の問題番号について、それぞれ対応する問題バージョンの中から１つの問題バージョンを選定するための乱数を発生させ、この発生させた乱数に基づいて１つの問題バージョンを選定する。そして、未出題問題抽出部１５３は、選定された問題バージョンに対応する未出題問題を抽出して出題問題として表示部１７に供給する。
【００３０】
追加問題抽出部１５４は、出題すべき問題の問題番号を選定するための乱数を発生させ、この発生させた乱数に基づいて規定出題数から優先出題問題数と出題問題数とを差し引いた問題数だけ、出題済み問題であり受験者が正解している問題の中から出題する問題の問題番号を選定する。追加問題抽出部１５４は、選定された問題番号に対応する問題バージョンの中から１つの問題バージョンを選定するための乱数を発生させ、この発生させた乱数に基づいて１つの問題バージョンを選定する。そして、追加問題抽出部１５４は、選定された問題番号及び問題バージョンに対応する問題を抽出し、追加問題として表示部１７に供給する。
【００３１】
採点管理部１５５は、答案入力部１６より入力された答案を採点して合計点を算出し、この算出した合計点が予め規定された合格点以上であるか否かを判断し、この試験における受験者の合否判定を行う。
【００３２】
また、採点管理部１５５は、受験者情報テーブルＸ１に記憶されている出題済みの問題に対する受験者の最新の正否（正解／不正解）を採点結果に基づいて追記又は修正する。
【００３３】
表示部１７は、例えば液晶ディスプレイ、ＣＲＴ等からなる表示画面を備える。表示部１７は、初回試験判定部１５１、優先問題抽出部１５２、未出題問題抽出部１５３、及び、追加問題抽出部１５４よりそれぞれ抽出された問題が供給されると、これらの問題を出題問題として答案入力用の表示画面に表示する。
【００３４】
図４は、本実施の形態における問題作成処理の処理動作を説明するためのフローチャートである。
【００３５】
ステップＳ１において、データ処理部１５は、受験者が表示部１７に表示されるログイン画面における受験者ＩＤ及びパスワードの入力案内に従って端末装置を介して答案入力部１６に受験者ＩＤ及びパスワードを入力することにより、受験者とアクセス可能な状態にする。
【００３６】
ステップＳ２において、初回試験判定部１５１は、ログイン時に入力された受験者ＩＤに基づいて、この試験において受験者が初回受験であるか否かを判定する。このステップＳ２において、初回受験であると判定した場合にはステップＳ３に進み、初回受験ではないと判定した場合にはステップＳ４に進む。
【００３７】
ステップＳ３において、初回試験判定部１５１は、規定出題数だけ問題番号を選定するための乱数を発生させ、問題情報テーブルＸ２を参照してこの乱数に基づいて問題番号を選定する。そして、初回試験判定部１５１は、特定された問題番号に対応する複数の問題バージョンの中から１つの問題バージョンを選定するための乱数を発生させ、問題情報テーブルＸ２において、この乱数に基づいて問題バージョンを選定する。その後、初回試験判定部１５１は、選定された問題番号及び問題バージョンに対応する規定出題数の出題問題を表示部１７に供給する。データ処理部１５は、ステップＳ３の後、ステップＳ９に進む。
【００３８】
ステップＳ４において、優先問題抽出部１５２は、受験者情報記憶部１２が有する受験者情報テーブルＸ１に記憶された問題番号の中から受験者が不正解であった全ての問題の問題番号と問題バージョンとを参照し、受験者が不正解であった問題の問題番号と同一の問題番号であり、且つ、この問題の問題バージョンとは異なる問題バージョンの問題が問題情報テーブルＸ２に存在するか否かを検索する。このステップＳ４において、優先問題抽出部１５２は、異なる問題バージョンの問題が存在することを確認した場合には、異なる問題バージョンの問題の中から１つの問題を選定するための乱数を発生させ、この発生させた乱数に基づいて１つの問題を選定する。優先問題抽出部１５２は、選定された問題を優先問題として問題情報テーブルＸ２より抽出し、表示部１７に供給する。
【００３９】
ステップＳ５において、優先問題抽出部１５２は、表示部１７に供給した問題の問題数が規定出題数に達したか否かを判断する。データ処理部１５は、このステップＳ５において表示部１７に供給した問題の問題数が規定出題数に達したと判断した場合には、ステップＳ５の後ステップＳ９に進み、規定出題数に達していないと判断した場合には、ステップＳ５の後ステップＳ６に進む。
【００４０】
ステップＳ６において、未出題問題抽出部１５３は、未抽出問題数と、未出題問題数とを比較する。このステップＳ６において、未出題問題抽出部１５３は、未出題問題数が未抽出問題数以上である場合には、未抽出問題数だけ問題番号を選定するための乱数を発生させ、この発生させた乱数に基づいて未出題問題の中から問題番号を未抽出問題数だけ選定する。このステップＳ６において、未出題問題抽出部１５３は、選定された問題番号に対応する問題バージョンの中から１つの問題バージョンを選定するための乱数を発生させ、この発生させた乱数に基づいて１つの問題バージョンを選定し、この選定された問題番号及び問題バージョンに対応する未出題問題を抽出して出題問題として表示部１７に供給する。
【００４１】
一方、このステップＳ６において、未出題問題数が未抽出問題数よりも少ない場合には、未出題問題抽出部１５３は、全ての未出題問題の問題番号について、それぞれ対応する問題バージョンの中から１つの問題バージョンを選定するための乱数を発生させ、この発生させた乱数に基づいて１つの問題バージョンを選定する。このステップＳ６において、未出題問題抽出部１５３は、選定された問題バージョンに対応する未出題問題を抽出して出題問題として表示部１７に供給する。
【００４２】
ステップＳ７において、未出題問題抽出部１５３は、表示部１７に供給した問題の問題数が規定出題数に達したか否かを判断する。データ処理部１５は、このステップＳ７において表示部１７に供給した問題の問題数が規定出題数に達したと判断した場合には、ステップＳ７の後ステップＳ９に進み、規定出題数に達していないと判断した場合には、ステップＳ７の後ステップＳ８に進む。
【００４３】
ステップＳ８において、追加問題抽出部１５４は、出題すべき問題の問題番号を選定するための乱数を発生させ、この発生させた乱数に基づいて規定出題数から優先出題問題数と出題問題数とを差し引いた問題数だけ、出題済み問題であり受験者が正解している問題の中から出題する問題の問題番号を選定する。このステップＳ８において、追加問題抽出部１５４は、選定された問題番号に対応する問題バージョンの中から１つの問題バージョンを選定するための乱数を発生させ、この発生させた乱数に基づいて１つの問題バージョンを選定する。そして、追加問題抽出部１５４は、選定された問題番号及び問題バージョンに対応する問題を抽出し、追加問題として表示部１７に供給する。
【００４４】
ステップＳ９において、表示部１７は、初回試験判定部１５１、優先問題抽出部１５２、未出題問題抽出部１５３、及び、追加問題抽出部１５４よりそれぞれ供給された問題を出題問題として答案入力用の表示画面に表示する。
【００４５】
ステップＳ１０において、答案入力部１６は、端末装置を介して受験者の答案を入力する。
【００４６】
ステップＳ１１において、採点管理部１５５は、答案入力部１６より受験者の答案が供給されると、この答案を採点して合計点を算出し、この算出した合計点が予め規定された合格点以上であるか否かを判断し、この試験における受験者の合否判定を行い、合計点及び合否判定結果を表示部１７に供給する。このステップＳ１１において、算出した合計点が合格点以上である場合には、一連の問題作成処理は終了し、合計点が合格点未満である場合には、ステップＳ２に戻り、ステップＳ２〜ステップＳ１１の処理が繰り返し行われる。また、このステップＳ１１において、採点管理部１５５は、受験者情報テーブルＸ１に記憶されている出題済みの問題に対する受験者の最新の正否（正解／不正解）を採点結果に基づいて追記又は修正する。
【００４７】
このように、問題作成装置１は、複数の問題を記憶し、この複数の問題に対する受験者毎の正解又は不正解の情報を記憶し、この正解又は不正解の情報に基づいて複数の問題の中から不正解の情報が対応付けられた問題を出題問題として選択して試験問題を作成することにより、受験者の受験経験に基づく試験問題作成が実現でき、受験者は、より効率的に学習効率を高めることが可能となる。
【００４８】
なお、本発明は、上述した実施の形態のみに限定されるものではなく、本発明の要旨を逸脱しない範囲において種々の変更が可能であることは勿論である。
【００４９】
例えば、上述した実施の形態では、問題作成装置１が実行する問題作成処理は、予めＣＤ−ＲＯＭに格納された処理プログラムに基づいて実行されるが、問題作成処理を実行する処理プログラムは、通信回線を介して供給するようにしてもよい。この場合、使用者側のＰＣとネットワークを介して接続されたサーバ側とでの役割の分担は、自由に設計することが可能である。例えば、ネットワーク上のサーバに複数の問題を備え、新たな問題群を作成する処理をＰＣ側で行ってもよいし、サーバ側で問題の出力までを行い、使用者側のＰＣは単に選択された新たな問題群をダウンロードし、学習するのみの構成にしてもよい。
【図面の簡単な説明】
【００５０】
【図１】本実施の形態における問題作成装置内部の機能的な構成を示すブロック図である。
【図２】受験者情報記憶部が有する受験者情報テーブルの一例を示す図である。
【図３】問題情報記憶部が有する問題情報テーブルの一例を示す図である。
【図４】本実施の形態における問題作成処理の処理動作を説明するためのフローチャートである。
【符号の説明】
【００５１】
１  問題作成装置、１１  受験者情報入力部、１２  受験者情報記憶部、１３  問題情報入力部、１４  問題情報記憶部、１５  データ処理部、１６  答案入力部、１７  表示部、１５１  初回試験判定部、１５２  優先問題抽出部、１５３  未出題問題抽出部、１５４  追加問題抽出部、１５５  採点管理部
【図１】
2008233665.tif 000003
【図２】
2008233665.tif 000004
【図３】
2008233665.tif 000005
【図４】
2008233665.tif 000006